(57)【要約】      （修正有）【課題】上下、左右、斜め向きに三次元の空間をスイングするステッピングマシーンの提供。【解決手段】ステッパー本体１上へ設けるベース枠１０、ベース枠に連結されたアーム１３上へ設けら支承管１４、該支承管の両側に斜めに突出して設けた連結素子２０、該連結素子を介して結合された一対のペダル４０、ペダルとベース枠の間を連結する圧力シリンダー５０、及び支承管の両側の連結素子と連結素子の間を滑車３１で連結する連結機構３０からなり、上方向へ傾斜して「Y」字型を呈した連結素子を介して支持されたペダルは上下・左右に空間をスイングし、且つ、連結機構の滑車によりペダルは連動して動作する。【選択図】図１
0003112764.tif 000002
【実用新案登録請求の範囲】
【請求項１】
ステッパー本体は、ベース枠、該ベース枠に連結されたアーム上に設けられた支承管、該支承管の両側に設けられた連結素子、それぞれの該連結素子に設けられたペダル、該ペダルとベース枠の間を連結する圧力シリンダー、及び該支承管の両側の連結素子と連結素子の間を滑車を介して連結する連結機構からなり、
該連結素子は、上方向へ傾斜するように「Y」字型を呈して設けられて、ペダルをその軸周りに回動可能に支持してなることにより、
ペダルは足踏み動作に応じて、上下・左右に空間をスイングし、且つ該連結機構によって左右連動動作することを特徴とするスイングステッパーの構造。
【請求項２】
前記連結機構は、滑車以外にフレーム、連結アーム、ロープを含み、該フレーム上へ滑車を設け、該ロープを滑車の溝に配置すると共にその両端は連結アームに固定し、該連結アームは連結素子に固定することにより、連結構造及び連動動作を達成することを特徴とする請求項１に記載のスイングステッパーの構造。
【請求項３】
前記ベース枠は前枠、円弧状の後枠からなり、両者の中間を上記アームで結合してなることを特徴とする請求項１に記載のスイングステッパーの構造。
【請求項４】
前記圧力シリンダーの片端はベース枠上に連結し、別の片端はペダルへ枢設してなることを特徴とする請求項１に記載のスイングステッパーの構造。
【請求項５】
前記連結素子は、左右にそれぞれテーパリング、リング、第一承接リング、枢軸管、第二承接リング、C型フック、エンドキャップからなり、該テンパーリングは支承管上へ斜めに設置し、該テンパーリングは、リング、第一承接リング、枢軸管、第二承接リング、C型フック、及びエンドキャップの順に枢設し、連結素子により傾斜アームは回転軸の中心となり、スイングすることを特徴とする請求項１に記載のスイングステッパーの構造。
【請求項６】
前記支承管上へディスプレイ及び制御部からなるカウンターを設けることを特徴とする請求項１に記載のスイングステッパーの構造。
【請求項７】
前記フレームは支承管を貫通する調整螺子で支承管後端へ鎖固することを特徴とする請求項１に記載のスイングステッパーの構造。
【考案の詳細な説明】
【技術分野】
【０００１】
本考案は足踏み運道具、いわゆるステッパーの構造に関するものであって、特にステッパーの足踏み方式の構造設計に係る。
【背景技術】
【０００２】
現在、運動器材は、体積が小さく、収納に便利で、空間を占拠せずに、腿部、臀部の運動が行えるステッパーが好まれている。
【０００３】
公知のステッパーは、台湾の公告第４４８７７２で開示されてるように、上下昇降方式により、腿部のエクササイズの目的を達成している。
上述の上下足踏み方式の「ステッパーの構造」は垂直に昇降する運動方式だけで、腿部の筋力トレーニングの効果を達成することに係り、ステッパー愛用者（特に女性利用者）の身体の中で最も「脂肪」がつきやすい臀部及び腰部の脂肪の消耗においては満足できていない。
【０００４】
従来の上下足踏み方式の「ステッパーの構造」は、ユーザーの本来の要求を満たすことができず、米国特許第５６６５０３３号で開示されるような、新規のステッパー構造が開発された。この構造は、四角フレームの前端に、垂直に設置された、手部が握持する支承アームを備え、後端に、Y字型支承を形成し、Y字型支承の分岐点に、更に、転動可能なスリーブを設置し、スリーブ一端は、旋動可能なペダルを延設し、分岐点の最外端は、定位用の「人」字アームを設置して、ペダルの足踏み力道を強化する。ペダル前端と「人」字アーム間に、シリンダを設け、ペダル後端と四角フレーム間に、気圧アームを枢設し、ペダルは、四つのシリンダに囲まれて構成される平行な軌道で、ペダルを下に踏む時に、上下スイングするエクササイズ効果を達成する。
【０００５】
上述のステッパーは、Y字型支承及びシリンダを利用して、ステッパーの上下スイングエクササイズ効果を達成するが、公知のステッパーには、以下のような欠点がある。
【０００６】
ステッパー愛用者は、ステッパーの小型、軽量、移動、収納性に期待するが、公知の上下垂直に足踏みするステッパーはそれとは異なり、その構造が複雑化し、体積も過大化し、構造要素のコストがかかり、移動時に不便であるという欠点がある。
【０００７】
以上から、ステッパーが、腿部と臀部のエクササイズができるスイング式ペダルを有する構造下で、体積が小さく、収納が空間を占有しない上下垂直ステッパーが必要とされている。
【特許文献１】特開１０−２７７１０８号公報
【考案の開示】
【考案が解決しようとする課題】
【０００８】
本考案は、公知の垂直型上下方式のステッパー構造が、腿部エクササイズしか出来ないことに対し改善を加え、ステッパーの足踏み動作は、斜向にスイングして、エクササイズすることにより腿部、臀部及び腰部についてしまった脂肪を同時に解消することができ、十分な運動量を得ることができるスイングステッパーを提供することを目的とし、支承管の両端へ凸設された傾斜アームは連結素子上の枢軸管などと結合して、ステッパーが上下、左右にスイングする目的を達成する。
【０００９】
本考案は、体積が小さく、公知の握持機構もなく、収納に空間を占有せず、本来の水平支承を傾斜角度を有するY字型支承構造へ変更して、ペダルの足踏み時に、斜向スイングを可能とし、使用者が、腿部、腰部と臀部のエクササイズができるような斜向スイングステッパーを提供することをもう一つの目的とし、また、ステッパー自体が軽い特性を兼ね備え、米国特許で開示されたステッパーのスイングを達成するために体積が過大で構造が複雑になり、コストが高くなる問題を改善する。
【課題を解決するための手段】
【００１０】
本考案のスイングステッパーは、支承管の両端へ凸設された傾斜アームは連結素子上の枢軸管などと結合して、ステッパーが上下、左右にスイングする目的を達成する。
【００１１】
すなわち、本考案のスイングステッパーは、請求項１に記載するように、主にステッパー本体は、該ステッパー本体上へ設けるベース枠、該ベース枠上へ設ける支承管、該支承管の両側へ設ける連結素子、それぞれの該連結素子へ設けるペダル、該ペダルとベース枠の間に設ける圧力シリンダー、及び該支承管の両側の連結素子と連結素子の間に設ける連結機構からなり、
該連結素子は上方向へ傾斜するように設け、「Y」字型を呈し、ペダルは上下・左右に空間をスイングし、該連結機構には滑車を含み、該滑車により両連結素子は連動することを特徴とするスイングステッパーの構造。
【００１２】
請求項２に記載するように、前記連結機構は、滑車以外にフレーム、連結アーム、ロープを含み、該フレーム上へ滑車を設け、該ロープを滑車の溝へ設け、並びに両端は連結アームへ固定し、該連結アームは連結素子へ固定し、連結、連動の目的を達成することを特徴とする請求項１に記載のスイングステッパーの構造。
【００１３】
請求項３に記載するように、前記ベース枠は前枠、円弧状の後枠からなり、両者の中間にはアームを連接することを特徴とする請求項１に記載のスイングステッパーの構造。
【００１４】
請求項４に記載するように、前記圧力シリンダーの片端はベース枠上に連接し、別の片端はペダルへ枢設することを特徴とする請求項１に記載のスイングステッパーの構造。
【００１５】
請求項５に記載するように、前記連結素子は、左右にそれぞれテーパリング、リング、第一承接リング、枢軸管、第二承接リング、C型フック、エンドキャップからなり、該テンパーリングは支承管上へ斜めに設置し、該テンパーリングは、リング、第一承接リング、枢軸管、第二承接リング、C型フック、及びエンドキャップの順に枢設し、連結素子により傾斜アームは回転軸の中心となり、スイングする
ことを特徴とする請求項１に記載のスイングステッパーの構造。
【００１６】
請求項６に記載するように、前記支承管上へディスプレイ及び制御部からなるカウンターを設けることを特徴とする請求項１に記載のスイングステッパーの構造。
【００１７】
請求項７に記載するように、前記フレームは支承管を貫通する調整螺子で支承管後端へ鎖固することを特徴とする請求項１に記載のスイングステッパーの構造。
【考案の効果】
【００１８】
本考案により、体積が小さく、収納に便利で、空間を占拠せずに、使用者が腿部、腰部と臀部のエクササイズができるようなスイングステッパーが提供される。
【考案を実施するための最良の形態】
【００１９】
本考案の「スイングステッパーの構造」は、図１、２で示されるように、ベース枠１０を設け、該ベース枠１０は前枠１１、円弧形状を呈する後枠１２からなり、該前枠１１と後枠１２の両者の中間に連接するアーム１３、前枠１１上に連接する支承管１４からなるステッパー本体１に係り、
連結素子２０は支承管１４の両側へ傾斜角度を有するV字型を呈すように設けられ、支承管１４の両側へ突設する傾斜アーム２１（図１に示す傾斜アーム２１は断面図である。）上へ順にテーパリング２２、リング２３、第一承接リング２４、枢軸管２５、第二承接リング２６、C型フック２７及びエンドキャップ２８を固定し、該連結素子２０によって斜向にスイングする。
【００２０】
連結機構３０は、滑車３１、ロープ３２、「コ」の字型フレーム３３及び連結アーム３４からなり、該フレーム３３の片端は支承管１４を貫通する調整螺子で支承管１４の後端へ鎖固し、別の片端は滑車３１へ枢設し、滑車３１の溝上へロープ３２を設け、ロープ３２の両端はアーム３４へ枢設し、連結機構３０が回転すると別の片方の連結素子２０が連動する。
【００２１】
両ペダル４０の端は連結素子２０の枢軸管２５上へそれぞれ設置し、足踏みをしたときにペダルから使用者の足が落ちないように該ペダル４０前端へカバー部４１が設けられている。
【００２２】
両圧力シリンダー５０は左右へそれぞれ一つ設け、片端はアーム１３の側面に連結し、別の片端はペダル４０後方に連結し、ステッパーのダンピング係数を高めることによって、使用者は足踏みの難易度を高めることができ、運動量も増加することができる。
【００２３】
カウンター６０は支承管１４上へ設置し、カウント結果を表示するディスプレイ６１を設け、使用者が参考できるようになっており、ディスプレイ６１の下へ制御部６２を設け、カウントをゼロに戻す、及びカウンター６０の設定を行う。
【００２４】
図３に示すように、本考案の支承管１４の後端へ連結機構３０を設け、滑車の原理を利用して、ロープ３２を媒介とし、どちらかのペダル４０を踏み込むと連動してもう一方のペダルあがる（図４、５に示す）。
【００２５】
支承管１４上へ連結素子２０を斜めに設置し、該連結素子２０によりステッパーは斜向スイングし、支承管１４と連結素子２０はY字型を呈し、スイングの範囲は上下に動くだけでなく、傾斜アーム２１が旋回運動の中心となり、上下、左右、斜め向きに三次元の空間をスイングする。
【００２６】
図６に示すように、スイング過程において、両ペダル４０は左右にスイングし、全身を左右のリズムに合わせスイングし、腰から下に対し重点的にエクササイズが行え、腿部内側の筋肉も十分にエクササイズを実行することができる。
【図面の簡単な説明】
【００２７】
【図１】本考案の素子分解図である。
【図２】本考案の外観図である。
【図３】図２の局部拡大図である。
【図４】本考案のペダルを踏んだ後の、異なる角度を示す図である。
【図５】本考案のペダルを踏んだ後の、異なる角度を示す図である。
【図６】本考案の実施例を示す外観図である。
【符号の説明】
【００２８】
１      ステッパー本体
１０    ベース枠
１１    前枠
１２    後枠
１３    アーム
１４    支承管
２０    連結素子
２１    傾斜アーム
２２    テーパリング
２３    リング
２４    第一承接リング
２５    枢軸管
２６    第二承接リング
２７    C型フック
２８    エンドキャップ
３０    連結機構
３１    滑車
３２    ロープ
３３    フレーム
３４    連結アーム
４０    ペダル
４１    カバー部
５０    圧力シリンダー
６０    カウンター
６１    ディスプレイ
６２    制御部
【図１】
0003112764.tif 000003
【図２】
0003112764.tif 000004
【図３】
0003112764.tif 000005
【図４】
0003112764.tif 000006
【図５】
0003112764.tif 000007
【図６】
0003112764.tif 000008